(57)【要約】【課題】直立して鑑賞可能な絵ハガキを構成する。  【解決手段】前頁ケント紙１１、後頁ケント紙１３及び該光透過フィルム１２により構成し、前・後ケント紙には相対して開口１１１、１３１を設け、写真や図案などを表示した光透過フィルム１２を前・後ケント紙に挟んで、該開口から表示する。後ケント紙には中央に間隔を設けて一対の切起し片を折り返し可能に左右対称に切り込みを設けて形成すると共に該間隔部中央に同様に切り込みを設けて折り返し可能に連結部１３２２を設ける。前、後ケント紙はそれぞれ張り合わせて一体化されてはがきを構成すると共に、切り欠き開口部下方をそれぞれメッセージ欄及び宛名書欄とし、直立支持片を切り起こして鑑賞する。【選択図】  図１
0003154493.tif 000002
【実用新案登録請求の範囲】
【請求項１】
前頁ケント紙、後頁ケント紙及び該光透過フィルムにより構成し、
前・後ケント紙には相対して開口を設けて、写真や図案などを表示した光透過フィルムを前・後ケント紙に挟んで、該開口から表示して一体化すると共に、前・後ケント紙にそれぞれメッセージ欄及び宛名書欄を設け、後ケント紙には該ハガキを直立支持する切起し片を設けたことを特徴とするハガキ。
【請求項２】
前記光透過フィルムは、ケント紙の開口寸法、形状に合わせて設けたことを特徴とする請求項１記載のハガキ。
【考案の詳細な説明】
【技術分野】
【０００１】
本考案はハガキの構造に関し、特にプレス型で切断した図案を折ってハガキを直立させて、鑑賞可能なハガキの構造に関する。
【背景技術】
【０００２】
ハガキは、大変便利なメッセージを伝える手段である。伝統的なハガキのサイズは１０ｃｍ×１５ｃｍの一枚の紙片であり、正面に切手を貼り、受取人の名前や住所を書き、背面にメッセージを書く。ハガキは書いた内容を隠すことができないため、多くは挨拶言葉だけである。
【０００３】
また、各国や地域では観光業を押し広めるために、絵ハガキが作られている。絵ハガキは当地の風景を見ることができるが、光透過性のあるフィルムを背面一面に貼るため、正面はメッセージと切手や宛名書き欄で二分されて、メッセージスペースが大幅に縮小されるため、ハガキとしての主な機能が削減されるため、更なる改善が必要であった。
【先行技術文献】
【特許文献】
【０００４】
【特許文献１】特開２００４−１６７９９４号公報
【特許文献２】特開２００６−１５７１４号公報
【考案の概要】
【考案が解決しようとする課題】
【０００５】
前記従来構造の欠点を解決するため、本考案の第１の目的は、平面のハガキを直立させて鑑賞することができるハガキの構造を提供することにある。
本考案の第２の目的は、異なる材質を用いて、異なるビジュアル感覚を生み出すハガキの構造を提供することにある。
【課題を解決するための手段】
【０００６】
前記課題を解決するために、本考案のハガキ構造は、ケント紙と光透過性フィルムで構成する。ケント紙は、前頁と後頁からなり、前頁のケント紙と後頁のケント紙の相対応する場所に開口が開けられている。前頁ケント紙の正面にメッセージを書くスペースがあり、後頁のケント紙に切起し片を設け、該光透過性フィルムはケント紙の開口サイズに合わせて前頁と後頁の間に配置して一体化する。切起し片を折ることで平面だったハガキが鑑賞に便利な直立タイプのハガキになる。
【考案の効果】
【０００７】
本考案は、光透過フィルム及び二枚のケント紙、及びプレス型によって切断した切り起し片により、ハガキを直立させて鑑賞することができ、特に絵ハガキなどに適する。
【図面の簡単な説明】
【０００８】
【図１】本考案実施例の立体外観図である。
【図２】本考案実施例の部品分解図である。
【図３】本考案実施例のメッセージスペースの状態図である。
【図４】本考案実施例のメッセージスペースの状態図である。
【図５】本考案実施例の使用状態略図である。
【考案を実施するための形態】
【実施例】
【０００９】
本考案によるハガキの構造を明確に示すために図に沿って詳細な説明を行う。
図１、図２に示すのは本考案のハガキ１であり、それに含まれるのは二枚のケント紙１１、１３及び光透過フィルム１２である。二枚のケント紙１１、１３はそれぞれ前頁ケント紙及び後頁ケント紙を構成する。該前頁ケント紙１１と後頁ケント紙１３の相対応する箇所に開口１１１、１３１を設け、該前頁ケント紙１１の正面の開口１１１の下方にメッセージを書くスペース１１２を設け、後頁ケント紙１３の背面の開口１３１の下方にプレス型で切断した図案１３２がおよそ対照的に相対する二つの三角形を形成し、該二つの三角形の底辺及び斜辺を切開する。該底辺はやや上向きに上がり、斜辺と交わる箇所に角１３２１を形成する。該二つの三角形の垂直辺は未切開の連結部分１３２２を呈し、該連結部分１３２２の中下段にそれぞれアーチ型切込みを設け、それの中央部分に横向きに底辺がハガキ本体と連結する長方形のストッパー１３２３を設ける。更に、該光透過フィルム１２に各地の風景などをプリントすると共に、ケント紙前頁１１及び後頁１３の間に挟み、開口１１１、１３１と合わせて設けるため、三者が一体となり、光透過フィルム１２はケント紙前後頁１１、１３に開けた開口１１１、１３１によって、外部からも見えるようにする。
【００１０】
図３に示すように、使用する際、ケント紙前頁１１にあるスペース１１２にメッセージを書き、該ケント紙後頁１３の切起し片１３２の上部に受取人の名前と住所を書く。図４に示すように、差出人がハガキ１を投函すると、受取人は、このハガキ１を受け取った後、ケント紙後頁１３にある切起し片１３２の二つの連結部分１３２２を起こし、相対する二つの三角形を折ってから長方形のストッパー１３２３を折る。長方形のストッパー１３２３の両端は二つの連結部分１３２２の中下段に設けるアーチ型切込みに掛合する。よって、ハガキ１は背部にある切起し片１３２を折ってできる三角形底部にある角１３２１によって立つことができ、鑑賞する目的に達する。
【００１１】
本考案が具有するメリットは：
・  風景の図案を光透過フィルムにプリントするため、異なる材質を使うことで、絵ハガキが異なったビジュアル感覚を与える。
・  該ケント紙の後頁に設ける切起し片で形成する連結部分及び長方形ストッパーにより、ハガキを立たせて鑑賞できる。
【００１２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１３】
1.  ハガキ
１１  ケント紙前頁
１１１  開口
１１２  メッセージ書くスペース
１３  ケント紙後頁
１３１  開口
１３２  切起し片
１３２１  角
１３２２  連結部分
１３２２  ストッパー
１２  光透過フィルム
【図１】
0003154493.tif 000003
【図２】
0003154493.tif 000004
【図３】
0003154493.tif 000005
【図４】
0003154493.tif 000006
【図５】
0003154493.tif 000007
【手続補正書】
【提出日】平成21年8月12日(2009.8.12)
【手続補正１】
【補正対象書類名】実用新案登録請求の範囲
【補正対象項目名】請求項１
【補正方法】変更
【補正の内容】
【請求項１】
前頁ケント紙、後頁ケント紙及び光透過フィルムにより構成し、
前ケント紙及び後ケント紙には相対して開口を設けて、写真や図案などを表示した光透過フィルムをこれらの前ケント紙及び後ケント紙の間に挟んで、該開口から表示して一体化すると共に、前ケント紙及び後ケント紙にそれぞれメッセージ欄及び宛名書欄を設け、後ケント紙にはハガキを直立支持する切起し片を設けたことを特徴とするハガキ。
【手続補正２】
【補正対象書類名】図面
【補正対象項目名】図４
【補正方法】変更
【補正の内容】
【図４】
0003154493.tif 000008